(57)【特許請求の範囲】
【請求項１】
電気炉上に直立筒状の予熱室を形成し、該予熱室にスクラップを支持し得る格子状の通風性底板を枢支すると共に、該通風性底板が下方に垂下状に開いたとき該通風性底板によって覆われるように廃ガスの排出口を該予熱室の側壁に開設し、さらに該排出口から斜め上方に延びる煙道を形成してなることを特徴とした電気炉のスクラップ炉頂予熱装置。
【発明の詳細な説明】
【０００１】
【発明の属する技術分野】
本発明は、電気炉上に廃ガスによって金属スクラップを予熱する予熱室が設けられた装置において、スクラップがその廃ガスの流れに乗って煙道に流出するのを防ぐものである。
【０００２】
【従来の技術】
金属スクラップを溶解させるアーク炉等の電気炉において、該炉上に予熱室を設け、金属スクラップを該予熱室にいったん収容することにより廃ガスによって該金属スクラップを予熱し、省エネルギー化に資するようにした炉頂予熱装置は特開平８−１３６１６３号公報，その他の刊行物により従来から知られている。
【０００３】
ところでこのような炉頂予熱装置では、スクラップを最上部のルーフから上段の予熱室，下段の予熱室，電気炉という具合に移動させるものであり、その移動中も電気炉は操業状態にあるので、廃ガスを常に煙道に吸引している。このためその煙道に薄板状のスクラップが吸引され、脱臭塔や冷却塔の内部、送風機内、或いはバグハウス内、等にこれらのスクラップが噛み込み、或いは堆積し、送風機の異常振動を起こしたり、配管圧損が異常上昇するなどの吸引トラブルを起こすことがあった。そしていったんこのようなトラブルを引き起こすと、ダクト内，塔内等からそのスクラップを取り除くのに大変な手間が掛かるために、メンテナンスが非常に高価なものとなるおそれがあった。
【０００４】
【発明が解決しようとする課題】
そこで本発明は、上記のような炉頂予熱装置を備えた電気炉において、スクラップ吸引による上記のようなトラブル発生のおそれを解消しようとするものである。
【０００５】
【課題を解決するための手段】
そのために本発明の電気炉のスクラップ炉頂予熱装置は、電気炉上に直立筒状の予熱室を形成し、該予熱室にスクラップを支持し得る格子状の通風性底板を枢支すると共に、該通風性底板が下方に垂下状に開いたとき該通風性底板によって覆われるように廃ガスの排出口を該予熱室の側壁に開設し、さらに該排出口から斜め上方に延びる煙道を形成してなることを特徴とする。
【０００６】
【発明の実施の形態】
次に本発明に係る電気炉のスクラップ炉頂予熱装置の実施の形態を図１〜図３に示したものについて説明する。同図において、１は基台２上にローラ６を介して傾動可能に設けられた電気炉（アーク炉）、３はその電気炉１の出湯口、４は電極支持装置５に支持され先端が電気炉１内に垂下している電極である。
【０００７】
７は電気炉１の両側に設けられた支持台で、該支持台７上にレール８が敷設され該レール８に沿って移動可能なるようにフレーム９の下端部に車輪３０が設けられている。そしてフレーム９上に上下に貫通した直立筒状の予熱室１０および予熱室１１が支持され、該予熱室１０，予熱室１１を該フレーム９によって電気炉１上に上下積重ね状に設けている。１２は図３にも示したように上段の予熱室１０の底部の両側壁に枢軸２２を軸受２３により回転自在に支持することによりシリンダ１３の作動により下方に垂下状に開くように枢支された一対の格子状の通風性底板である。また１４は下段の予熱室１１の底部に同様にシリンダ１５の作動により下方に垂下状に開くように枢支された一対の格子状の通風性底板である。予熱室１１の下端に延設された延長筒部１６の開口縁は電気炉１の上縁開口に合致しかつ該電気炉１の傾動を可能ならしめるため互いに摺接する円弧状に形成されている。また、予熱室１０の上端開口にはシリンダ１７により開閉動し得る一対のシャッタ１８が設けられている。なお、２０はスクラップを搬送するためにクレーンワイヤにより吊下されるクラムシェル型バケットである。
【０００８】
該バケット２０により運ばれて来たスクラップはシャッタ１８を開けることにより予熱室１０中に落下し通風性底板１２上に支持される。また、該通風性底板１２を開けることにより予熱室１０中のスクラップは予熱室１１に落下し通風性底板１４上に支持される。さらに該通風性底板１４を開けることにより該予熱室１１中のスクラップは電気炉１中に落下する。２１は電気炉１の排ガスを予熱室１０に導くため延長筒部１８の側壁と予熱室１０の側壁とを連通させている循環ダクトである。
【０００９】
しかして、２４は予熱室１１の側壁における前記通風性底板１２の枢軸２２の下側に開設された廃ガスの排出口で、該排出口２４は通風性底板１２が下方に垂下状に開いたとき該通風性底板１２によって覆われるようにしている。また、２５は該排出口２４から斜め上方に延びるように形成された煙道で、該煙道２５の先には脱臭塔，冷却塔，バッグフィルター等の廃ガス処理装置（図示せず）が連設され、プロワにより該廃ガスをこれらの処理装置に吸引し清浄化して大気中に排出できるようにしている。
【００１０】
なお、２６は煙道２５の傾斜部分にシリンダ２７の作動により開閉自在なるように設けられた格子状シャッターである。また、２８は隙間を形成し外気を必要に応じ煙道中に吸引し得るようにするためにまたフレーム９が移動時に固定側煙道２９と切り離される様に設けられた可動フランジである。
【００１１】
このためこのスクラップ炉頂予熱装置では、電気炉１で発生した高温度の廃ガスは予熱室１１中のスクラップを貫流して該スクラップを予熱し排出口２４より排出されると共に、一部の廃ガスは循環ダクト２１を通って予熱室１０に直接流れ該予熱室１０中のスクラップを上から下に貫流することにより該スクラップを予熱し排出口２４に排出される。
【００１２】
そしてシリンダ１５の作動により通風性底板１４を下方に垂下状に開くことにより予熱室１１中のスクラップを電気炉１中に落下させると共に、シリンダ１３の作動により通風性底板１２を下方に垂下状に開き予熱室１０中のスクラップを予熱室１１中に落下移動させる。そのとき、該通風性底板１２は図２に破断線で示したように排出口２４を覆うようになるため、予熱室１１にて散乱するスクラップが該排出口２４に吸引されるのを防止できる。即ち、垂下状となることで排出口２４を覆う通風性底板１２は格子状フィルターとして機能し、スクラップが排出口２４に入るのを防ぐ。また、該煙道２５が傾斜状に形成されていることで、該煙道２５に堆積したスクラップも自重によりその斜面を滑って予熱室１１中に戻され易い。さらには、格子状シャッター２６を閉じておくことにより、該格子状シャッター２６により煙道２５中のスクラップをより確実に遮断することができる。
【００１３】
【発明の効果】
このように本発明に係る電気炉のスクラップ炉頂予熱装置では、スクラップを支持するために設けられている格子状の通風性底板が下方に垂下状に開いたときその後側に位置するように予熱室の側壁に廃ガスの排出口を開設したものであるから、スクラップ落下時に宙に浮いたスクラップが廃ガスとともに排出口に吸引されるのを効果的に防ぐことができる。また、排出口から延びる煙道を斜め上方に形成したことで煙道中に堆積したスクラップが自重で戻されるようになる。このためスクラップが煙道に流れ込みトラブルを発生させるおそれをなくし、メンテナンス作業を大幅に軽減させる有益な効果がある。
【図面の簡単な説明】
【図１】本発明に係る電気炉のスクラップ炉頂予熱装置の縦断面正面図。
【図２】本発明に係る電気炉のスクラップ炉頂予熱装置の縦断面側面図。
【図３】図１のＡ−Ａ線断面図。
【符号の説明】
１        電気炉
１０      予熱室
１１      予熱室
１２      通風性底板
１３      シリンダ
１４      通風性底板
１５      シリンダ
２４      排出口
２５      煙道
【図１】
0003826454.tif 000002
【図２】
0003826454.tif 000003
【図３】
0003826454.tif 000004